(57)【特許請求の範囲】
【請求項１】
患者の手術中に使用するためのドレープであって、
手術中に前記患者の少なくとも一部及び機器アレイを覆うことができるように構成されており、
前記ドレープは、
少なくとも１つの不透明補強パネルと、
前記機器アレイを覆うことができるように構成された少なくとも１つの透明透視パネルと、
前記機器アレイから前記患者まで延びる前記患者に流体を送達するためのラインを通すための孔が形成された第１の有孔部分と、前記第１の有孔部分を覆うことができるように構成されたフラップとを有する第１の有孔パネルとを含み、
前記第１の有孔パネルは、前記少なくとも１つの不透明補強パネルと同じ材料から形成され、
前記第１の有孔部分は、少なくとも１つの前記透明透視パネルの上に位置することを特徴とするドレープ。
【請求項２】
前記機器アレイは、血管造影用の造影剤送達システムであることを特徴とする請求項１に記載のドレープ。
【請求項３】
液体不透過性材料を含むことを特徴とする請求項１または２に記載のドレープ。
【請求項４】
前記第１の有孔部分とは別の位置に配置された第２の有孔部分を有する第２の有孔パネルをさらに含むことを特徴とする請求項１から３のいずれかに記載のドレープ。
【請求項５】
ベースシートをさらに含み、
前記少なくとも１つの不透明補強パネルは、不織布、多層積層体、流体吸収性材料、またはそれらの組み合わせを含むことを特徴とする請求項１から４のいずれかに記載のドレープ。
【請求項６】
前記少なくとも１つの不透明補強パネルは、流体撥性または流体不透過性を有するフィルム層により裏張りされていることを特徴とする請求項５に記載のドレープ。
【請求項７】
前記少なくとも１つの不透明補強パネルは、前記ベースシートに、接着、縫合、熱接合、または超音波接合により取り付けられていることを特徴とする請求項５または６に記載のドレープ。
【請求項８】
前記第１の有孔パネルは、不織布、多層積層体、流体吸収性材料、またはそれらの組み合わせを含むことを特徴とする請求項１から７のいずれかに記載のドレープ。
【請求項９】
前記機器アレイを覆う部分は、１０−６０マイクロメートルの範囲の厚さを有することを特徴とする請求項１から８のいずれかに記載のドレープ。
【請求項１０】
前記機器アレイを覆う部分は、ポリエチレンフィルムを含むことを特徴とする請求項１から９のいずれかに記載のドレープ。
【請求項１１】
使用時に手術部位の上に配置可能な開口部をさらに有し、
前記開口部は、略円形の断面形状を有することを特徴とする請求項１から１０のいずれかに記載のドレープ。
【請求項１２】
前記開口部は、大腿部開窓であることを特徴とする請求項１１に記載のドレープ。
【請求項１３】
使用時に手術部位の上に配置可能な開口部をさらに有し、
前記開口部は、略楕円形の断面形状を有することを特徴とする請求項１から１２のいずれかに記載のドレープ。
【請求項１４】
前記開口部が、橈骨開窓であることを特徴とする請求項１３に記載のドレープ。
【請求項１５】
当該ドレープを前記患者、前記機器アレイ、またはその両方に接着するための接着剤が、当該ドレープの周縁部に配されていることを特徴とする請求項１から１４のいずれかに記載のドレープ。
【請求項１６】
前記接着剤が、感圧性接着剤であることを特徴とする請求項１５に記載のドレープ。
【請求項１７】
血管造影手術中に使用するためのドレープであって、
手術中に患者の少なくとも一部及び造影剤送達システムを覆うことができるように構成されており、
前記ドレープは、
少なくとも１つの不透明補強パネルと、
前記造影剤送達システムを覆うことができるように構成された少なくとも１つの透明透視パネルと、
前記造影剤送達システムから延びる流体送達ライン及びコントローララインを通すための孔が形成された第１の有孔部分と、前記第１の有孔部分に向けて折り返して、前記孔に通された前記流体送達ライン及び前記コントローララインを覆うことができるように構成されたフラップとを有する第１の有孔パネルとを含み、
前記第１の有孔パネルは、前記少なくとも１つの不透明補強パネルと同じ材料から形成され、
前記第１の有孔部分は、少なくとも１つの前記透明透視パネルの上に位置することを特徴とするドレープ。
【請求項１８】
前記造影剤送達システムが、滅菌野の外側に位置するタッチスクリーンディスプレイ（ＣＲＴ）を有することを特徴とする請求項１７に記載のドレープ。
【請求項１９】
液体不透過性材料を含むことを特徴とする請求項１７または１８に記載のドレープ。
【発明の詳細な説明】
【技術分野】
【０００１】
（関連出願）
本出願は、２０１４年５月２７日出願の米国特許出願第１４／２８７，５６３号に基づく優先権を主張するものである。上記出願は、その全文を引用することを以って本明細書の一部となす。
【背景技術】
【０００２】
外科手術中に患者の手術部位を無菌に保つために使用される様々な構成の使い捨て型サージカルドレープが、当分野で公知である。多くの場合、構造強度を与え、かつ手術部位から出る体液を吸収するために、使い捨て型サージカルドレープの開窓部または縁部の周りに補強領域が設けられる。また、多くの使い捨て型ドレープでは、ドレープ領域及び補強領域が互いに異なる材料の多層構造から成り、各層がドレープに対して異なる特性を付与するように構成されている。例えば、スパンボンド繊維、メルトブローン繊維、及びポリマーフィルムが、使い捨て型ドレープの層として使用される。
【０００３】
特定の外科手術は、造影剤の注入を伴う。従来は、造影剤は、手に持った注射器を用いて、大腿部または橈骨動脈に導入されるラインに注入していた。しかし、造影剤は粘着性が非常に高いので、比較的高い圧力で注入する必要があった。そのため、医師は、造影剤を注入するのに、強い手の力を必要とした。また、造影剤は高価であるが、余った造影剤は、手術中に患者領域に入らないように廃棄しなければならなかった。比較的新しい装置が、より幅広く使用されるようになってきており、それにより、患者に使用されなかった造影剤を節約することが可能となった。この装置は、ＡＣＩＳＴ  ＣＶｉ造影剤送達システムとして知られており、ＡＣＩＳＴシステムから延びる高圧ラインを介して造影剤を患者に注入するように構成されており、シンプルな手動コントローラにより制御することができるので、医師の造影剤を注入する労力を大幅に軽減することができる。加えて、余った造影剤は、患者領域の外側に位置するＡＣＩＳＴシステム内の小さなガラスボトル内に貯蔵されるので、別の患者に使用することができる。このＡＣＩＳＴシステムは、タッチスクリーンディスプレイ（ＣＲＴ）と、造影剤を患者に送達するためのラインと、造影剤の注入を手動で制御するためのラインとを有している。
【０００４】
このシステムと患者とを接続するラインは患者領域の内側から外側に延びているので、このシステムと患者との間の接続に問題が発生する。この問題を解決するために提案された１つの方法は、ＣＲＴを滅菌野の外側にカバー等で被覆されない状態で配置し、ドレープにペンまたは鋭利な器具により形成した貫通孔に制御ライン及び高圧ラインを通す方法である。別の解決策は、滅菌野と非滅菌野との間に特定のバリアを配置せず、ラインを手術室の天井または器具からぶら下げてドレープの上方に配置することである。しかし、いずれの解決策も理想的ではなく、また、このシステム及び手術のための標準的なドレープシステムは存在しない。
【０００５】
したがって、ＡＣＩＳＴ  ＣＶｉまたはそれと同様のシステムと共に使用するための、使用が容易であり、かつ患者と装置との間の分離を提供する、アクセスが設けられたサージカルドレープが求められている。
【発明の概要】
【課題を解決するための手段】
【０００６】
本開示の様々な特徴及び利点は、その一部が以下の説明に記載されており、あるいは以下の説明から明らかであり、あるいは本開示の実施により学ぶことができるであろう。
【０００７】
本開示の態様によれば、患者の手術中に使用するためのサージカルドレープが提供される。前記ドレープは、手術中に、患者の少なくとも一部並びに機器アレイを覆うことができるサイズ及び形状を有するシート材料を含む。前記ドレープは、機器アレイから患者まで延びるラインがドレープを通過することを可能にする予め形成された孔を含む。前記ドレープはまた、患者の周囲の滅菌野を維持するために、前記孔に前記ラインを通した後に前記孔を覆うフラップを含む。
【０００８】
特定の実施形態では、患者の手術中に使用するためのサージカルドレープが提供される。前記ドレープは、手術中に前記患者の少なくとも一部及び機器アレイを覆うことができるように構成されている。前記ドレープにおける前記機器アレイを覆う部分は、透明に構成されている。前記ドレープは、第１の有孔部分とフラップとを有する第１の有孔パネルを含む。前記第１の有孔部分には、前記機器アレイから前記患者まで延びる前記患者に流体を送達するためのラインを通すための孔が形成されている。前記フラップは、前記第１の有孔部分を覆うことができるように構成されている。
【０００９】
さらなる実施形態では、前記機器アレイは、血管造影用の造影剤送達システムである。
【００１０】
別の実施形態では、前記ドレープは、液体不透過性材料を含む。
【００１１】
さらに別の実施形態では、前記ドレープは、前記第１の有孔部分とは別の位置に配置された第２の有孔部分を有する第２の有孔パネルをさらに含む。
【００１２】
さらに別の実施形態では、前記ドレープは、ベースシートと、少なくとも１つの補強パネルとを含み、前記少なくとも１つの補強パネルは、不織布、多層積層体、流体吸収性材料、またはそれらの組み合わせを含む。前記少なくとも１つの補強パネルは、流体撥性または流体不透過性を有するフィルム層により裏張りされるとよい。さらに、前記少なくとも１つの補強パネルは、前記ベースシートに、接着、縫合、熱接合、または超音波接合により取り付けられるとよい。
【００１３】
別の実施形態では、前記第１の有孔部分は、当該ドレープの透明な部分に取り付けられる。
【００１４】
別の実施形態では、前記第１の有孔パネルは、不織布、多層積層体、流体吸収性材料、またはそれらの組み合わせを含む。
【００１５】
さらに別の実施形態では、前記機器アレイを覆う前記部分は、１０−６０マイクロメートルの範囲の厚さを有する。
【００１６】
別の実施形態では、前記機器アレイを覆う前記部分は、ポリエチレンフィルムを含む。
【００１７】
さらなる実施形態では、前記第１の有孔部分の前記孔は、略円形の断面形状を有する。特定の実施形態では、前記孔は、大腿部開窓である。
【００１８】
別の実施形態では、前記第１の有孔部分の前記孔は、略楕円形の断面形状を有する。特定の実施形態では、前記孔は、橈骨開窓である。
【００１９】
別の実施形態では、前記ドレープを前記患者、前記機器アレイ、またはその両方に接着するための接着剤が、前記ドレープの周縁部に配されている。特定の実施形態では、前記接着剤は、感圧性接着剤である。
【００２０】
別の実施形態では、血管造影手術中に使用するためのドレープが提供される。前記ドレープは、手術中に前記患者の少なくとも一部及び造影剤送達システムを覆うことができるように構成されている。前記ドレープにおける前記造影剤送達システムを覆う部分は透明に構成されている。前記ドレープは、第１の有孔部分とフラップとを有する第１の有孔パネルを含む。前記第１の有孔部分には、前記造影剤送達システムから延びる流体送達ライン及びコントローララインを通すための孔が形成されている。前記フラップは、前記第１の有孔部分に向けて折り返して、前記孔に通された前記流体送達ライン及び前記コントローララインを覆うことができるように構成されている。
【００２１】
特定の実施形態では、前記造影剤送達システムは、滅菌野の外側に位置するタッチスクリーンディスプレイ（ＣＲＴ）を有する。
【００２２】
別の実施形態では、前記ドレープは液体不透過性材料を含む。
【００２３】
本発明の他の特徴及び利点は、以下の詳細な説明に明らかにされるであろう。上記の要約、並びに以下の詳細な説明及び実施例は、両方とも単に本発明の代表例であり、特許請求の範囲に規定された本発明を理解するための概要を提供することを目的としている。
【図面の簡単な説明】
【００２４】
当業者を対象にした本開示の完全かつ実現可能な開示（ベストモードを含む）は、添付図面を参照して本明細書の残りの部分により詳細に説明される。
【００２５】
【図１】患者及び機器アレイを覆っているサージカルドレープを示す図であり、ラインをドレープの孔に通した状態を示している。
【図２】一実施形態に係るドレープを示す平面図であり、ドレープの様々な要素の位置を示している。
【図３】ドレープの孔及びフラップを示す平面図である。
【図４】他の実施形態に係るドレープを示す平面図であり、ドレープの様々な要素の位置を示している。
【発明を実施するための形態】
【００２６】
以下、本開示の様々な実施形態について詳細に説明し、１以上の実施例を以下に示す。各実施例は、本開示の説明のために与えられるものであり、本開示を限定するためのものではない。実際には、本開示の範囲及び要旨から逸脱しない範囲で本開示の様々な変更及び変形が可能であることは、当業者には明らかであろう。したがって、本開示は、添付した特許請求の範囲及びその均等物の範囲に含まれる限りは、そのような変更及び変形を包含することを意図している。
【００２７】
本開示に従って作製されたサージカルドレープは、その使用用途や所望する性質に応じて、任意の様々なサイズ及び形状を有することができる。例えば、あるサージカルドレープの構造が、Griesbach他に付与された米国特許第6,055,987号に記載されている（この特許は、全ての目的のために、引用することを以って本明細書の一部となす）。
【００２８】
本開示の態様を含むサージカルドレープの様々な実施形態が、外科手術中に患者を覆うためのドレープ１０（図１）として添付図面に記載されている。ドレープ１０は、当分野で使い捨て型のサージカルドレープ、衣服、カバーなどに一般的に使用されるドレープシート材料に用いられる任意の材料または材料の組み合わせから作製することができる。
【００２９】
一般的に、ドレープシートは、例えば、織布、再使用可能な布、及び使い捨て型の不織布または不織ウェブなどの、様々な材料から作製することができる。本開示での使用に適した不織材料としては、例えば、スパンボンド／メルトブローン／スパンボンド（ＳＭＳ）材料のような多層積層体が挙げられる。好適な布の例は、Brock他に付与された米国特許第4,041,203号に記載されている。
【００３０】
本明細書で使用される「不織布または不織ウェブ」なる用語は、個々の繊維または糸が、編物のような規則的な繰り返し形態ではないランダムな形態で交絡された構造を有するウェブを意味する。不織布または不織ウェブは、例えばメルトブローン法、スパンボンド法、及びボンデッドカーデッドウェブ法などの様々な方法によって作製されてきた。不織布の秤量は、通常は１平方ヤード当たりオンス（ｏｓｙ）または１平方メートル当たりグラム（ｇｓｍ）単位で表され、繊維径は、通常はミクロン（μｍ）単位で表される（なお、ｏｓｙの数値をｇｓｍの数値に変換するためには、ｏｓｙの数値に３３．９１を乗ずればよい）。
【００３１】
本明細書で使用される「スパンボンド繊維」なる用語は、溶融した熱可塑性プラスチック材料を、スピナレット（紡糸口金）の通常は円形断面形状を有する複数の微細なキャピラリからフィラメント（細繊維）として押し出した後、例えば、Appel他に付与された米国特許第4,340,563号、Dorschner他に付与された米国特許第3,692,618号、Matsuki他に付与された米国特許第3,802,817号、Kinneyに付与された米国特許第3,338,992号及び第3,341,394号、Hartmanに付与された米国特許第3,502,763号、あるいはDobo他に付与された米国特許第3,542,615号に記載されているようにして、押し出されたフィラメントの直径を急激に縮径させることにより形成された小径の繊維を指す。スパンボンド繊維は一般的に、捕集面上に堆積したときに粘着性を示さない。スパンボンド繊維は一般的に連続的であり、７マイクロメートル（ミクロン）以上の平均直径（少なくとも１０個のサンプルの平均値）を有し、より具体的には約１０〜２０マイクロメートルの平均直径を有する。
【００３２】
本明細書で使用される「メルトブローン繊維」なる用語は、溶融した熱可塑性材料を、通常は円形の断面形状を有する複数の微細なダイキャピラリから溶融糸または溶融フィラメントとして、通常は高温の高速の集束ガス（例えば空気）流の中に押し出し、前記高速ガス流によって、溶融糸または溶融フィラメントの直径をマイクロ繊維（超極細繊維）の直径の程度にまで縮径させることにより形成された繊維を意味する。メルトブローン繊維は、その後、前記高速ガス流によって運ばれて捕集面上に堆積し、それにより、ランダムに分散したメルトブローン繊維のウェブが形成される。このような工程は、例えば、Butin他に付与された米国特許第3,849,241号に開示されている。メルトブローン繊維は、連続的または非連続的なマイクロ繊維であり、一般的に１０マイクロメートル（ミクロン）未満の平均直径を有し、一般的に捕集面上に堆積したときに粘着性を示す。
【００３３】
本明細書で使用される「多層積層体」なる用語は、スパンボンド／メルトブローン／スパンボンド（ＳＭＳ）積層体や他の積層体のような、スパンボンド層とメルトブローン層とを含む積層体を意味する。このような積層体は、例えば、Brock他に付与された米国特許第4,041,203号、Collier他に付与された米国特許第5,169,706号、Potts他に付与された米国特許第5,145,727号、Perkins他に付与された米国特許第5,178,931号、及びTimmons他に付与された米国特許第5,188,885号に開示されておる。このような積層体は、移動する成形ベルト上に、スパンボンド布層、メルトブローン布層、別のスパンボンド布層をその順番に堆積させ、その後、後述する方法で各層を互いに結合させることによって製造することができる。あるいは、上記の各布層を個別に製造してロールに集積しておき、別の結合ステップにおいて互いに組み合わせてもよい。このような布地は、約０．１−１２ｏｓｙ（６−４００ｇｓｍ）、より具体的には、約０．７５−約３ｏｓｙの坪量を有する。また、多層積層体は、メルトブローン層とスパンボンド層を様々な数で含む構成や、フィルムやコフォーム材料などの他の材料を含む構成を有することができる（例えば、ＳＭＭＳ、ＳＭ、ＳＦＳ）。
【００３４】
本明細書で使用される「コフォーム」なる用語は、ウェブの形成中に、少なくとも１つのメルトブローンダイヘッドの近傍に配置されたシュートからウェブに他の材料を加える工程を意味する。前記他の材料は、例えば、パルプ、高吸収性粒子、セルロース、またはステープル繊維であり得る。コフォーム工程は、Lauに付与された米国特許第4,818,464号、及びAnderson他に付与された第4,100,324号に開示されている。コフォーム工程により製造されたウェブは、一般的に、コフォーム材料と呼ばれる。
【００３５】
一実施形態では、ドレープ１０は、当分野では周知のように手術中に手術部位の上側に配置される大腿部開窓開口部（femoral fenestration openings）４０及び橈骨開窓（radial fenestrations）４２を含む。開窓４０、４２のサイズ、形状、及び位置は、ドレープ１０が使用される外科手術の種類に応じて異なる。例えば、大腿部血管造影手術に使用されるドレープは、図２に示すように、略円形の断面形状及び約１２−１３ｍｍの直径を有する１つまたは２つの開窓４０を有する。一方、橈骨開窓４２は、略楕円形の断面形状及び約１２ｍｍ×約７−８ｍｍの径サイズを有する。
【００３６】
機器アレイ（instrument array）が、手術の進行をモニタするのに、または流体（例えば、血管造影剤）を患者に投与するのに使用される。機器アレイは、例えば、タッチスクリーンディスプレイ（ＣＲＴ）と、造影剤を送達するための他の関連する機器とを含む。比較的新しい装置が血管造影に使用されており、このような機器アレイの使用を伴う。この装置は、ＡＣＩＳＴ  ＣＶｉ造影剤送達システムとして知られており、ＡＣＩＳＴシステムから延びる高圧ラインを介して造影剤を患者に注入するように構成されており、シンプルな手動コントローラにより制御することができるので、ユーザの造影剤を注入する労力を大幅に軽減することができる。加えて、余った造影剤は、患者領域の外側に位置するＡＣＩＳＴシステム内の小さなガラスボトル内に貯蔵されるので、別の患者に使用することができる。このＡＣＩＳＴシステムは、タッチスクリーンディスプレイ（ＣＲＴ）と、造影剤を患者に送達するためのラインと、造影剤の注入を手動で制御するためのラインとを有している。
【００３７】
本明細書に開示されたドレープ１０は、ＡＣＩＳＴシステムと共に使用することができ、透明な流体抵抗性材料（例えば、ポリエチレンフィルム）から作製された透視パネル（図２の１８、２０、２２、２４）を含む。図１に示すように、この透視パネル（透明フィルム）で患者及び機器アレイ５０を覆うことにより、透視パネルを介して機器アレイ５０を容易に視認することができる。一般的に使用される透視パネルは、約１０−６０マイクロメートル（ミクロン）の範囲、より具体的には約４０マイクロメートルの厚さを有する。
【００３８】
本開示のサージカルドレープ１０は、ベースシート上に重ね合わされ任意の適切かつ妥当な方法で固定されるか、または他のパネル（例えば、透視パネル１８、２０、２２、２４）の縁部に結合された補強パネル１２、１４、１６を含む。補強パネルの幅、長さ、及び構成材料は、ドレープ１０の用途に応じて異なる。補強パネルは、例えば、不織布、多層積層体（例えば、ＳＭＳ）、流体吸収性材料、及びそれらの組み合わせなどの様々な材料から作製することができる。補強パネルは、流体撥性または流体不透過性を有するフィルム層によって裏張りするとよい。補強パネルのフィルム層側または下面は、任意の一般的な手段、例えば、接着、縫合、熱接合技術、または超音波接合技術を用いて、ベースシートの上面に固定される。補強パネルの上面は、露出した状態に保たれ、手術部位から排出された流体の吸収に利用可能である。流体不透過性フィルム層（存在する場合）は、血液または他の体液が補強パネル及びベースシートを通過するのを防止する。
【００３９】
ドレープ１０を患者または機器アレイ５０に接着させるために、ドレープ１０の周縁部に、接着剤３０がストリップ状またはスクエア状に配される。接着剤３０としては、粘着性の感圧性接着剤、かつ生物的に許容可能な接着剤を使用するとよい。そのような接着剤材料は、Schrading他に付与された米国特許第3,669,106号に開示されている。
【００４０】
ドレープの作製に用いられる材料の一部または全部は、親水性または疎水性を有するように構成してもよく、また、所望の吸水性を実現すべく化学的に処理してもよい。例えば、１または複数の材料が、Yahiaoui他に付与された米国特許第5,540,979号に開示されているような方法を用いて、界面活性剤で処理される。
【００４１】
図面を参照して、図１では、ドレープ１０の透視パネル２４の下側に、機器アレイ５０を視認することができる。機器アレイ５０は、ドレープ１０の第１の有孔パネル２６に予め形成された孔３２に通される２つのライン５２、５４を有する（第１の有孔パネル２６、及びその周囲のドレープ１０の小領域は、図３に拡大して示されていることに留意されたい）。一方のラインは、コントローラライン５２であり、他方のラインは、開窓４０の１つを通って患者に接続される高圧流体ライン５４である。第１の有孔パネル２６は、フラップ３６と、有孔部分３４とを含む。フラップ３６は、その折り返し部分３８だけが、ドレープ１０に結合されている。使用時は、フラップ３６を折り返して孔３２を露出させ、ライン５２、５４は、孔３２のいずれかに通されて、機器アレイ５０に接続される。その後、フラップ３６は、ライン５２、５４及び孔３２を遮蔽すべく第１の有孔パネル２６の有孔部分３４の上側に折り返され、それにより、孔３２にラインを通した後に患者の滅菌野を維持することができる。第１の有孔パネル２６は、上述した補強パネルと同じ材料から作製することができる。
【００４２】
第１の有孔パネル２６は、図２に示すように、ドレープ１０の上側の位置に配置されている。図２におけるドレープ１０の上側の位置は、手術用の機器アレイ５０が最も一般的に配置される位置に対応する位置だからである。しかし、医師の希望または他の要因により、機器アレイ５０が別の位置に配置される場合もある。そのため、第２の有孔パネル２８が、ドレープ１０の反対側の位置（図２におけるドレープ１０の下側の位置）に設けられる。第２の有孔パネル２８は、患者の身体幅方向における反対側に位置するので、フラップ３６が患者の身体幅方向における身体内側に向かって折り返されるように、第１の有孔パネル２６を１８０度回転させた形態で設けられている。この２つの有孔パネル２６、２８は、同じサイズである必要はなく、また、孔３２の数は同じである必要もない。例えば、ある実施形態では、第１の有孔パネル２６は５つの孔３２を有し、第２の有孔パネル２８は３つの孔３２を有する。図２では、フラップを閉じた状態を示しているので、有孔部分の孔は見えない。
【００４３】
一実施形態では（図２）、ドレープ１０は、その長手方向の全長として、約３４０ｃｍの長さを有する。ドレープ１０は、その頭側端部（図２のＨ）では、約２６０ｃｍの幅を有する。ドレープ１０は、その足側端部（図２のＦ）では、約２９５ｃｍの幅を有する。補強パネル１２、１４、及び１６は、それらを組み合わせた全長として、２７５ｃｍの長さを有する。補強パネル１４の幅方向両側の一部は、補強パネル１２及び１６と比べて若干、具体的には約１５ｃｍずつ幅が広い。補強パネル１２、１４、及び１６は、ＳＭＳ繊維から作製され、血液及び他の流体の制御に役立つようにパネル１４に吸収性層が追加されることが望ましい。透視パネル２４は、約５０ｃｍの幅を有し、頭側端部から約１５０ｃｍの位置で終端する（すなわち、約１５０ｃｍの長さを有する）。
【００４４】
別の実施形態（図４）では、ドレープ１０は、その長手方向の全長として、約３６３ｃｍの長さを有する。ドレープ１０は、その頭側端部（図４のＨ）では、約２３８ｃｍの幅を有する。ドレープ１０は、その足側端部（図４のＦ）では、約２８８ｃｍの幅を有する。補強パネル１２、１４、及び１６は、ドレープ１０の全長（約３６３ｃｍ）に渡って延在する。そのため、ドレープ１０の頭側端部Ｈまたは足側端部Ｆに沿って延在する透明部分は存在しない。補強パネル１４の幅方向両側の一部は、補強パネル１２及び１６の幅（約９１ｃｍ）と比べて若干、具体的には約３５．５ｃｍずつ幅が広い。パネル１４の幅の広い部分は、パネル１４の長さ方向に沿って約６１ｃｍ延在する。補強パネル１２、１４、及び１６は、ＳＭＳ繊維から作製され、血液及び他の流体の制御に役立つようにパネル１４に吸収性層が追加されることが望ましい。透視パネル２４は、約３６３ｃｍの長さを有し、その足側端部で約１１５ｃｍの幅を有し、その頭側端部で約６５ｃｍの幅を有し、頭側端部から約１３０ｃｍの位置で幅が短くなる。別の透明な透視パネル２０は、約８１ｃｍの幅と約３６３ｃｍの長さを有する。第１の有孔パネル２６の有孔部分３４は、約７６ｃｍの長さと、約１２．５ｃｍの幅を有し、フラップ３６も同じサイズを有する。第２の有孔パネル２８の有孔部分は、約４１ｃｍの長さと、約１２．５ｃｍの幅を有し、フラップも同じサイズを有する。図４では、フラップを開いた状態を示しているので、有孔部分の孔は見える。
【００４５】
本開示のドレープは、ユーザが、滅菌野から非滅菌野まで、ドレープを貫通してラインを通すことを可能とする。また、本開示のドレープは、無菌のユーザ（すなわち、看護師）が、非無菌の看護師の助けを借りることなく、システムを配置することを可能にする。また、別のスクリーンカバーを必要とすることなく、患者用のドレープのみを使用して、ユーザがＡＣＩＳＴ  ＣＶｉシステムのタッチスクリーンを覆って使用することを可能にする。
【００４６】
本開示の範囲及び精神から逸脱しない範囲で、本明細書で説明した実施形態に様々な変更及び変形を為し得ることは、当業者には明らかであろう。したがって、本開示は、添付した特許請求の範囲及びその均等物の範囲に含まれる限りは、そのような変更及び変形を包含することを意図している。
【図１】
0006599360.tif 000002
【図２】
0006599360.tif 000003
【図３】
0006599360.tif 000004
【図４】
0006599360.tif 000005